(57)【要約】【課題】衣服用の断熱構造を提供すること。【解決手段】本発明は、特にアウトドア衣服用の断熱構造、およびそのような断熱構造を備える衣服に関する。本発明の一態様によれば、衣服用の断熱構造が提供される。断熱構造は、第１の断熱要素と、第１の断熱要素とは異なる初期形状を有する第２の断熱要素とを備える。第１の断熱要素は、第２の断熱要素に接続され、衣服を着用したときに、第２の断熱要素が、断熱構造の内側に対する圧力によって変形され、それにより、第１の断熱要素が第２の断熱要素に接触する接触領域が増大される。【選択図】図２ｃ
2015134976.tif 000002
【特許請求の範囲】
【請求項１】
衣服（６００；８００）用の断熱構造（２００；３００ａ〜ｄ；４００；５００）であって、
ａ．第１の断熱要素（２１０；３１０ａ〜ｄ；４１０；５１０；６１０；８１０）と、
ｂ．第２の断熱要素（２２０；３２０ａ〜ｄ；４２０；５２０；６２０；８２０）とを備え、前記第２の断熱要素（２２０；３２０ａ〜ｄ；４２０；５２０；６２０；８２０）が、前記第１の断熱要素（２１０；３１０ａ〜ｄ；４１０；５１０；６１０；８１０）とは異なる初期形状を有し、
ｃ．前記第１の断熱要素（２１０；３１０ａ〜ｄ；４１０；５１０；６１０；８１０）が、前記第２の断熱要素（２２０；３２０ａ〜ｄ；４２０；５２０；６２０；８２０）に接続され、
ｄ．前記衣服（６００；８００）を着用したときに、前記第２の断熱要素（２２０；３２０ａ〜ｄ；４２０；５２０；６２０；８２０）が、前記断熱構造（２００；３００ａ〜ｄ；４００；５００）の内側に対する圧力によって変形され、それにより、前記第１の断熱要素（２１０；３１０ａ〜ｄ；４１０ａ〜ｂ；５１０；６１０；８１０）が前記第２の断熱要素（２２０；３２０ａ〜ｄ；４２０ａ〜ｂ；５２０；６２０；８２０）に接触する接触領域（２５０）が増大される、
断熱構造（２００；３００ａ〜ｄ；４００；５００）。
【請求項２】
複数の第１の断熱要素（２１０；３１０ａ〜ｄ；４１０；５１０；６１０；８１０）と、複数の第２の断熱要素（２２０；３２０ａ〜ｄ；４２０；５２０；６２０；８２０）とを備え、前記第２の断熱要素（２２０；３２０ａ〜ｄ；４２０；５２０；６２０；８２０）がそれぞれ、前記第１の断熱要素（２１０；３１０ａ〜ｄ；４１０；５１０；６１０；８１０）とは異なる初期形状を有し、各第１の断熱要素（２１０；３１０ａ〜ｄ；４１０；５１０；６１０；６２０）が、少なくとも１つの第２の断熱要素（２２０；３２０ａ〜ｄ；４２０；５２０；６２０；８２０）に接続され、前記衣服（６００；８００）を着用したときに、前記第２の断熱要素（２２０；３２０ａ〜ｄ；４２０；５２０；６２０；８２０）が、前記断熱構造（２００；３００ａ〜ｄ；４００；５００）の内側に対する圧力によって変形され、それにより、前記第１の断熱要素（２１０；３１０ａ〜ｄ；４１０ａ〜ｂ；５１０；６１０；８１０）が前記第２の断熱要素（２２０；３２０ａ〜ｄ；４２０ａ〜ｂ；５２０；６２０；８２０）に接触する接触領域（２５０）が増大される請求項１に記載の断熱構造（２００；３００ａ〜ｄ；４００；５００）。
【請求項３】
少なくとも１つの第１の断熱要素（２１０；３１０ａ〜ｄ；４１０；５１０；６１０；８１０）と、少なくとも１つの第２の断熱要素（２２０；３２０ａ〜ｄ；４２０；５２０；６２０；８２０）とが、それぞれのシーム（２３０；４３０；５７１；５７２；５７３）で接続され、前記増大された接触領域（２５０）が、前記シーム（２３０；４３０；５７１；５７２；５７３）の近位にあり、それにより、前記衣服（６００；８００）が着用されるときに、前記少なくとも第２の断熱要素（２２０；３２０ａ〜ｄ；４２０；５２０；６２０；８２０）が、前記シーム（２３０；４３０；５７１；５７２；５７３）に実質的に重なる請求項１または２に記載の断熱構造（２００；３００ａ〜ｄ；４００；５００）。
【請求項４】
少なくとも１つの第１の断熱要素（２１０；３１０ａ〜ｄ；４１０；５１０；６１０；８１０）が少なくとも１つの第２の断熱要素（２２０；３２０ａ〜ｄ；４２０；５２０；６２０；８２０）に接触する前記増大された接触領域（２５０）が、体熱の逃げを減少させる請求項１から３のいずれか一項に記載の断熱構造（２００；３００ａ〜ｄ；４００；５００）。
【請求項５】
前記断熱構造の断面において、少なくとも１つの第２の断熱要素（２２０；３２０ａ〜ｄ；４２０；５２０；６２０；８２０）の内面に沿った第１の円弧（２２４、５３４）が、前記少なくとも１つの第２の断熱要素（２２０；３２０ａ〜ｄ；４２０；５２０；６２０；８２０）の外面に沿った断面で、第２の円弧（２２２、５３２）の長さ（Ｂ；ｂ）よりも大きい長さ（Ａ；ａ）を有する請求項１から４のいずれか一項に記載の断熱構造（２００；３００ａ〜ｄ；４００；５００）。
【請求項６】
前記第１の円弧（２２４、５３４）の長さ（Ａ；ａ）と前記第２の円弧（２２２、５３２）の長さ（Ｂ；ｂ）との比が、１．２：１〜３：１の範囲内、好ましくは１．４：１〜２：１の範囲内、特に好ましくは１．４５：１〜１．５５：１の範囲内である請求項１から５のいずれか一項に記載の断熱構造（２００；３００ａ〜ｄ；４００；５００）。
【請求項７】
断面での前記第１の円弧（２２４、５３４）の長さ（Ａ；ａ）と前記第２の断熱要素（２２０；３２０ａ〜ｄ；４２０；５２０；６２０；８２０）の高さ（Ｄ；ｄ）との比が、１．２：１〜３：１の範囲内、好ましくは１．３：１〜２．５：１の範囲内、特に好ましくは１．４：１〜２．１：１の範囲内である請求項１から６のいずれか一項に記載の断熱構造（２００；３００ａ〜ｄ；４００；５００）。
【請求項８】
少なくとも１つの第１の断熱要素（２１０；３１０ａ〜ｄ；４１０；５１０；６１０；８１０）および／または少なくとも１つの第２の断熱要素（２２０；３２０ａ〜ｄ；４２０；５２０；６２０；８２０）が、充填材料を備える請求項１から７のいずれか一項に記載の断熱構造（２００；３００ａ〜ｄ；４００；５００）。
【請求項９】
前記少なくとも１つの第１の断熱要素（２１０；３１０ａ〜ｄ；４１０；５１０；６１０；８１０）内の充填材料の重量に対する前記少なくとも１つの第２の断熱要素（２２０；３２０ａ〜ｄ；４２０；５２０；６２０；８２０）内の充填材料の重量の比が、１．３：１〜４：１の範囲内、好ましくは１．４：１〜３：１の範囲内、特に好ましくは１．４５：１〜２．０：１の範囲内である請求項１から８のいずれか一項に記載の断熱構造（２００；３００ａ〜ｄ；４００；５００）。
【請求項１０】
少なくとも１つの第１の断熱要素および少なくとも１つの第２の断熱要素（４１０；４２０；５１０；５２０）がそれぞれ、
キャビティ（５１５；５２５）を画定する内層（４１４；５１１；５２１）および外層（４１２；５１２；５２２）を備え、
前記少なくとも１つの第１の断熱要素（４１０；５１０）の前記内層（４１４；５１１）の表面積が、前記少なくとも１つの第２の断熱要素（４２０；５２０）の前記内層（４１４；５２１）の表面積よりも小さい
請求項１から９のいずれか一項に記載の断熱構造（２００；３００ａ〜ｄ；４００；５００）。
【請求項１１】
少なくとも１つの第１の断熱要素（５１０）および少なくとも１つの第２の断熱要素（５２０）がそれぞれ、
キャビティ（５１５；５２５）を画定する内層（５１１；５２１）および外層（５１２；５２２）を備え、
前記少なくとも１つの第１の断熱要素（５１０）の前記内層（５１１）の表面積が、前記少なくとも１つの第１の断熱要素（５１０）の前記外層（５１２）の表面積と実質的に同じサイズであり、
前記少なくとも１つの第２の断熱要素（５２０）の前記内層（５２１）の表面積が、前記少なくとも１つの第２の断熱要素（５２０）の前記外層（５２２）の表面積よりも大きい
請求項１から１０のいずれか一項に記載の断熱構造（２００；３００ａ〜ｄ；４００；５００）。
【請求項１２】
前記少なくとも１つの第１の断熱要素（４１０；５１０）の前記内層（４１４；５１１）と、前記少なくとも１つの第２の断熱要素（４２０；５２０）の前記内層（４１４；５２１）とが、一体部片として接合して提供される請求項１０または１１に記載の断熱構造（２００；３００ａ〜ｄ；４００；５００）。
【請求項１３】
前記少なくとも１つの第１の断熱要素（４１０；５１０）の前記外層（４１２；５１２）と、前記少なくとも１つの第２の断熱要素（４２０；５２０）の前記外層（４１２；５２２）とが、一体部片として接合して提供される請求項１０から１２のいずれか一項に記載の断熱構造（２００；３００ａ〜ｄ；４００；５００）。
【請求項１４】
少なくとも１つの第１の断熱要素（２１０；３１０ｂ；３１０ｄ；４１０；５１０；６１０；８１０）および／または少なくとも１つの第２の断熱要素（２２０；３２０ｃ；３２０ｄ；４２０；５２０；６２０；８２０）が細長い請求項１から１３のいずれか一項に記載の断熱構造（２００；３００ｂ〜ｄ；４００；５００）。
【請求項１５】
前記衣服が着用されるときに、少なくとも１つの第１の断熱要素（２１０；３１０ａ〜ｄ；４１０；５１０；８１０）および少なくとも１つの第２の断熱要素（２２０；３２０ａ〜ｄ；４２０；５２０；８２０）が実質的に水平に配置される請求項１から１４のいずれか一項に記載の断熱構造（２００；３００ａ〜ｄ；４００；５００）。
【請求項１６】
少なくとも１つの第１の断熱要素（２１０；３１０ａ〜ｄ；４１０；５１０；６１０）および少なくとも１つの第２の断熱要素（２２０；３２０ａ〜ｄ；４２０；５２０；６２０）が、前記衣服（６００）の内部でＶ字形に配置される請求項１から１５のいずれか一項に記載の断熱構造（２００；３００ａ〜ｄ；４００；５００）。
【請求項１７】
少なくとも１つの第１の断熱要素（２１０；３１０ａ〜ｃ；４１０；５１０；６１０；８１０）および少なくとも１つの第２の断熱要素（２２０；３２０ａ〜ｃ；４２０；５２０；６２０；８２０）が、互いに並んで交互に配置される請求項１から１６のいずれか一項に記載の断熱構造（２００；３００ａ〜ｃ；４００；５００）。
【請求項１８】
さらに、少なくとも１つのカバー層（８５０）を備え、前記カバー層（８５０）が、前記断熱構造（２００；３００ａ〜ｄ；４００；５００）の内側および／または外側に配置される請求項１から１７のいずれか一項に記載の断熱構造（２００；３００ａ〜ｄ；４００；５００）。
【請求項１９】
請求項１から１８のいずれか一項に記載の断熱構造（２００；３００ａ〜ｄ；４００；５００）を備える衣服（６００；８００）、特にジャケット（６００；８００）またはベスト。
【発明の詳細な説明】
【技術分野】
【０００１】
本発明は、特にアウトドア衣服用の断熱構造に関する。
【背景技術】
【０００２】
特にアウトドア分野での衣服の主要な目的は、そのような衣服の着用者の身体を環境から断熱し、熱損失を最小限にすることである。このために、典型的には、断熱効果をもたらすように、外層と内層の間に良好な断熱特性を有する材料が配置された構成が選択される。天然の断熱素材、特にダウンと、合成材料との両方が、これに関して使用される。
【０００３】
断熱材料の意図しないずれまたは分布の変化を避けるために、例えば、米国特許第２４６４３８０Ａ号、米国特許第５４０８７００Ａ号、米国特許第８５７８５１６Ｂ２号、および国際公開第９８／１１７９５Ａ１号に記載されているように、断熱材料は、典型的には、個々のチャンバまたはセクション内に分配される。これに関して、従来技術から２つの基本構造が知られている。
【０００４】
一方では、図１ａに示されるチャンバ構造（本明細書では以後、チャンバの形状により、簡単に「Ｈ形構造」と呼ぶ）であり、個々のチャンバを画定する区画が外層と内層との間に縫製される。さらに、従来技術から知られているこの構成の変形形態は、図１ｂに示されるように、台形の構成である。そのようなＨ形または台形の構成の利点は、衣服のより大きな領域にわたって断熱材料の一様な厚さを保証することができることである。これは、一様に良好な断熱をもたらすことができる。しかし、これらの構造は、かなりの製造労力がかかるという欠点を備える。
【０００５】
他方で、図１ｃに示される構成も従来技術から知られており、ここでは、衣服の外層と内層は直接縫い合わされ、またはステッチされ、それにより、断熱材料を充填された個々のチャンバを形成する。この構造は、上述したＨ形構造よりもかなり少ない製造労力で製造することができる。図１ｃに示されるシーム構造は、シームを横切って熱を逃がす、あるいは衣服内への冷気の進入を可能にすることがある。さらに、この構成の欠点は、シームの領域内に断熱材料が存在しないことであり、この領域では、外層と内層が直接接触する。したがって、図１ｄにおけるこの構成の従来のアウトドアジャケットの熱画像で明瞭に見ることができるように、シームの領域内でかなりの熱損失が生じる。
【０００６】
この問題に対処するために、例えば、米国特許第２９６０７０２Ａ号は、このようにして製造された２つ以上の層を、千鳥配置のシームを用いて互いに重ねて配置し、それにより、それぞれのシームでの熱損失を減少させることを提案している。しかし、これは、製造労力を増加し、また衣服の厚さの望ましくない増加をもたらすこともある。例えば撥水性のさらなる外層を備える別の構成を、米国特許出願公開第２０１３／０１７７７３１Ａ１号で見ることができる。これもまた、製造労力および材料投入の増加をもたらす。
【０００７】
最後に、英国特許第２１５９０５０Ａ号に、ベッドカバーのどちら側が底部に位置するかに応じて断熱の増加または減少を提供するベッドカバーが記載されている。しかし、この特許文献に記載されている概念は、チャンバを身体の長手方向で位置合わせさせる必要がある。
【先行技術文献】
【特許文献】
【０００８】
【特許文献１】米国特許第２４６４３８０Ａ号
【特許文献２】米国特許第５４０８７００Ａ号
【特許文献３】米国特許第８５７８５１６Ｂ２号
【特許文献４】国際公開第９８／１１７９５Ａ１号
【特許文献５】米国特許第２９６０７０２Ａ号
【特許文献６】米国特許出願公開第２０１３／０１７７７３１Ａ１号
【特許文献７】英国特許第２１５９０５０Ａ号
【発明の概要】
【発明が解決しようとする課題】
【０００９】
したがって、本発明の目的は、製造が容易であり、使用され得るシームの領域内での熱損失を最小限にする断熱構造を提供することである。
【課題を解決するための手段】
【００１０】
この目的は、少なくとも一部は、本発明による衣服用、特にアウトドア衣服用の断熱構造によって実現される。本発明による断熱構造は、第１の断熱要素と第２の断熱要素とを備え、第２の断熱要素が、第１の断熱要素とは異なる初期形状を有し、第１の断熱要素が、第２の断熱要素に接続され、衣服を着用したときに、第２の断熱要素が、断熱構造の内側に対する圧力によって変形され、それにより、第１の断熱要素が第２の断熱要素に接触する接触領域が増大される。
【００１１】
初期形状は、好ましくは、断熱構造の内側に圧力が及ぼされていないときの第１および第２の断熱要素の形状を表す。さらに、形状は、好ましくは、第１および第２の断熱要素の断面形状を表す。さらにまた、用語「異なる初期形状」は、第１および第２の断熱要素の向きも考慮することがある。すなわち、第１の断熱要素と第２の断熱要素は、どちらも同じまたは同様の（断面）形状を有することがあり、例えば、どちらも長円形を有することがあるが、向きが異なることがある。例えば、第１の断熱要素は、横長断面を有することがあり、第２の断熱要素は、縦長断面を有することがある。第１の断熱要素と第２の断熱要素が同様の形状であるが異なる向きを有するそのような実施形態も、用語「異なる初期形状」によって網羅される。
【００１２】
好ましくは、断熱構造は、複数の第１の断熱要素と複数の第２の断熱要素とを備え、第２の断熱要素がそれぞれ、第１の断熱要素とは異なる初期形状を有し、各第１の断熱要素が、少なくとも１つの第２の断熱要素に接続され、衣服を着用したときに、第２の断熱要素が、断熱構造の内側に対する圧力によって変形され、それにより、第１の断熱要素が第２の断熱要素に接触する接触領域が増大される。
【００１３】
好ましくは、衣服が着用されるとき、各第１の断熱要素と、それが接続されるそれぞれの第２の断熱要素との間で、接触領域が増大される。しかしまた、接触領域は、いくつかの第１の断熱要素と第２の断熱要素の間でのみ増大されることも可能である。
【００１４】
さらに、断熱構造および／または衣服がまた、第１および第２の断熱構造とは異なるさらなる断熱要素または他の要素を備えることもあることをここに明記しておく。
【００１５】
本発明による断熱構造は、単純な製造と良好な断熱の利点を兼ね合わせる。衣服が着用されるとき、第２の断熱要素が変形され、それにより、それぞれの第１の断熱要素に「寄り添い」、したがって、熱が逃げることがあり得る任意の可能なシームまたは空間を少なくとも部分的に封止する。
【００１６】
好ましくは、少なくとも１つの第１の断熱要素と、少なくとも１つの第２の断熱要素とが、それぞれのシームで接続され、増大された接触領域が、シームの近位にあり、それにより、衣服が着用されるときに、少なくとも第２の断熱要素が、シームに実質的に重なる。
【００１７】
好ましくは、すべての第１および第２の断熱要素がそれぞれのシームによって接続され、すべてのそのようなシームの近位に増大された接触領域が存在し、それにより、衣服が着用されるときに第２の断熱要素がすべてのシームに実質的に重なる。
【００１８】
一般に、本明細書において「少なくとも１つの第１の断熱要素」、「少なくとも１つの第２の断熱要素」について述べるとき、複数の第１および第２の断熱要素が存在する場合には、これは、好ましくはすべての第１および第２の断熱要素を意味する。しかしまた、第１および／または第２の断熱要素のすべてではなく、１つまたは複数のみを意味することもある。
【００１９】
本発明によるそのような断熱構造を形成するために、以下にさらに詳述するように層間にキャビティが形成されるように、材料の層を接合することができる。シームを使用して、衣服を形成する布地の層を接合することができる。いくつかの実施形態では、シームは、衣服内での断熱要素の移動が減少および／または阻止されるように設計することができる。断熱構造は、材料の層によって画定される２つ以上の異なる断熱要素から構成することができる。
【００２０】
例えば、断熱構造は、第２の断熱要素の近位に位置決めされた第１の断熱要素から構成することができ、これらの要素をシームによって互いに接続することができる。第２の断熱要素は、使用中に第２の断熱要素が隣接するシームに実質的に重なるように構成することができる。
【００２１】
シームに重なることによって、第２の断熱要素は、シームの領域内に断熱材料を提供し、それにより、これらの点での熱損失を減少および／または阻止することができる。
【００２２】
さらに、いくつかの実施形態では、第２の断熱材料は、使用中に、隣接するシームの少なくとも一部分をカバーするように構成することができる。
【００２３】
第１の断熱要素の少なくとも１つが第２の断熱要素の少なくとも１つに接触する増大された接触領域は、好ましくは、体熱の逃げを減少させる。特に好ましくは、既に述べたように、衣服が着用されるときにすべての第１の断熱要素と第２の断熱要素の間に増大された接触領域が存在し、それにより、本発明による断熱構造によって体熱の損失が実質的に減少される。
【００２４】
前述したように、体熱の逃げの減少は、断熱構造の異なる要素間の可能なシームまたは空間が少なくとも部分的に「封止」されることによって得られる。さらに、増大された接触領域は、湿気、例えば霧や雨が着用者／使用者の身体に達するのを防止する目的を果たすこともできる。これは、さらに、快適さを促進し、冷却を防止する助けとなり得る。
【００２５】
好ましくは、断熱構造の断面で、少なくとも１つの第２の断熱要素に沿った第１の円弧が、少なくとも１つの第２の断熱要素の外面に沿った断面で、第２の円弧の長さよりも大きい長さを有する。
【００２６】
ここで、第１の円弧の長さと第２の円弧の長さとの比は、１．２：１〜３：１の範囲内、好ましくは１．４：１〜２：１の範囲内、特に好ましくは１．４５：１〜１．５５：１の範囲内でよい。
【００２７】
さらに、断面での上述した第１の円弧の長さと第２の断熱要素の高さとの比は、１．２：１〜３：１の範囲内、好ましくは１．３：１〜２．５：１の範囲内、特に好ましくは１．４：１〜２．１：１の範囲内でよい。
【００２８】
第１の円弧の長さと高さとのこれらの比は、好ましくは、第１の円弧の長さと第２の円弧の長さの上述の比と組み合わせて適用することができる。しかし、第１の円弧の長さと高さとの比は、第１の円弧と第２の円弧の長さの比とは無関係に適用することもでき、逆も成り立つ。
【００２９】
本明細書では、断面での第２の断熱要素の高さは、例えば、着用された断熱構造／衣服の断面での高さを表すことがある。
【００３０】
断熱構造の断面で、内面に沿った円弧の長さが外面に沿った円弧の長さよりも長くなるように第２の断熱要素を提供することによって、第２の断熱要素が、断熱構造の内側から「突出」し、したがって、衣服が着用されるときに着用者の身体によって圧縮され、それにより、上述した「封止」効果をもたらす。内側円弧長さと外側円弧長さの上述の比、および内側円弧長さと、第２の断熱要素の高さとの上述の比は、熱孔の良好な封止、したがって体熱の損失の良好な減少を提供することが判明している。
【００３１】
ここでもまた、複数の第２の断熱要素の場合、これらの比は、好ましくは、すべての第２の断熱要素に適用される。あるいは、それらが一部の第２の断熱要素のみに適用されることもある。
【００３２】
好ましくは、少なくとも１つの第１の断熱要素および／または少なくとも１つの第２の断熱要素が、充填材料を備える。特に、すべての第１の断熱要素と第２の断熱要素が、充填材料を備えることができる。
【００３３】
充填材料は、断熱構造の断熱性を大幅に高めることができる。天然繊維または羽根、特にダウン、あるいはまた、ダウンとは対照的に、例えば湿潤状態でさえ良好な断熱特性を有する合成繊維が、ここでの充填材料として想定可能である。対照的に、乾燥状態では、ダウンが、非常に良好な断熱特性を備えると共に、非常に軽量である。空気、ゲル、発泡材料、液体、ガス、または固体、例えば微粒も、充填材料として想定可能である。熱の対流を減少させるために排気されたキャビティも、原理的には想定可能である。
【００３４】
ここで、少なくとも１つの第１の断熱要素内の充填材料の重量に対する少なくとも１つの第２の断熱要素内の充填材料の重量の比が、１．３：１〜４：１の範囲内、好ましくは１．４：１〜３：１の範囲内、特に好ましくは１．４５：１〜２：１の範囲内である。
【００３５】
充填材料の重量は、例えば衣服が構成されるときに測定することができる。重量の比は、実質的に同じ寸法、例えば同様の長さ（例えば、細長い断熱要素に関して）および高さを有する１対の第１の断熱要素と第２の断熱要素に適用することができる。また、これらの比は、第１の断熱要素と第２の断熱要素の各対に適用することもできる。あるいは、それらを一部の第１および第２の断熱要素のみに適用することもできる。
【００３６】
これらの値も、上述したように衣服が着用されるときに本発明による「封止」効果を提供する、「突出」する第２の断熱要素を提供するのに有利であることが判明している。
【００３７】
さらに、少なくとも１つの第１の断熱要素内の充填材料の重量と少なくとも１つの第２の断熱要素内の充填材料の重量の比を考慮するのではなく、少なくとも１つの第１の断熱要素内の充填材料の体積と少なくとも１つの第２の断熱要素内の充填材料の体積の比を考慮することもできる。充填体積のこの比に関しても、例えば、充填重量に関して上述した同じ好ましい比が適用されることがある。
【００３８】
当業者は、少なくとも１つの第１の断熱要素と少なくとも１つの第２の断熱要素の両方において同じ充填材料で一定の充填密度の場合に、例えば充填材料の密度によって与えられる、充填材料の体積と重量の間の直接の１対１の対応関係が存在し得ることを理解されよう。しかし、例えば異なる材料または異なる充填密度が第１の断熱要素と第２の断熱要素それぞれに使用される場合、充填体積と充填重量の間により複雑な関係が存在することもある。
【００３９】
好ましくは、少なくとも１つの第１の断熱要素および少なくとも１つの第２の断熱要素はそれぞれ、キャビティを画定する内層と外層を備え、ここで、少なくとも１つの第１の断熱要素の内層の表面積が、少なくとも１つの第２の断熱要素の内層の表面積よりも小さい。
【００４０】
これもまた、第１の断熱要素の形状に比べて着用者の身体に向かって「突出」する第２の断熱要素の形状を提供する助けとなることがあり、それにより、第２の断熱要素の上述の変形、および熱孔を封止する増大された接触領域をもたらす。
【００４１】
特に好ましくは、少なくとも１つの第１の断熱要素および少なくとも１つの第２の断熱要素はそれぞれ、キャビティを画定する内層と外層を備え、ここで、少なくとも１つの第１の断熱要素の内層の表面積は、少なくとも１つの第１の断熱要素の外層の表面積と実質的に同じサイズであり、少なくとも１つの第２の断熱要素の内層の表面積は、少なくとも１つの第２の断熱要素の外層の表面積よりも大きい。
【００４２】
外層と内層の同じ表面積により、第１の断熱要素は、ほぼ対称的な断面形状を有するキャビティを形成する。対照的に、外層の表面積に比べて大きな第２の断熱要素の内層の表面積により、第２の断熱要素は、内側に向かってより大きな厚さを有する非対称形状を有するキャビティを形成し、それにより、使用中に生じる変形によって生じるスペースまたはシームの上述した封止をもたらす。
【００４３】
ここで、好ましくは、少なくとも１つの第１の断熱要素の内層と、少なくとも１つの第２の断熱要素の内層とが、一体部片として接合して提供される。
【００４４】
さらに、好ましくは、少なくとも１つの第１の断熱要素の外層と、少なくとも１つの第２の断熱要素の外層とが、一体部片として接合して提供される。
【００４５】
これは、一方で、内層または外層におけるシームなどをなくすことができる。これは、断熱性の改良、および液体、霧、汚れなどの進入の回避に寄与することができる。他方、特に外層と内層が一体部片として提供される場合には、これは、特に容易な自動製造を可能にする。内層と外層は、例えば、それぞれのロールから巻き解かれ、それぞれのキャビティを形成するように互いに縫い合わせることができる。内層と外層が、縫製される２つの隣接するシームの間で同じ速度でミシンに供給される場合、まず、対称的な断熱要素が形成される。対照的に、内層がより速く供給される場合、これは、自動的に、より大きな「ポケット」を形成し、したがって、例えば、充填材料で充填された後に、断熱構造の内側に垂直な方向でより大きい厚さを有する。
【００４６】
例えば、これはまた、第１の断熱要素と第２の断熱要素を、修正する必要なく、かつ例えば縫製などによって後で接続させる必要なく、効率的に製造できるようにする。これは、製造労力のかなりの減少をもたらすことができる。さらに、衣服の構成を完全に、または部分的に自動化することができる。
【００４７】
好ましくは、少なくとも１つの第１の断熱要素および／または少なくとも１つの第２の断熱要素は、細長い。
【００４８】
そのような細長い断熱要素は、特に製造が容易であり、断熱要素の表面に比べて特に大きい断熱体積を有することができる。これにより、材料を節約することができる。さらに、細長い断熱要素は、着用者／使用者にとって特に好ましい。なぜなら、それらは心地良くない隅または縁部を備えず、顕著な膨出部または尖頭部を有さずに着用者の身体表面に平坦に位置することができるからである。
【００４９】
一般に、断熱要素は、限定はしないが、湾曲要素、例えば、円形、長円形、楕円形、またはそれらの一部、長方形、三角形、不規則形状、管、自由幾何形状、および／またはそれらの組合せを含む断面を有することがある。
【００５０】
好ましくは、衣服が着用されるときに、少なくとも１つの第１の断熱要素および少なくとも１つの第２の断熱要素が、実質的に水平に配置される。
【００５１】
この向きは、特に衣服の場合、充填材料（下記参照）が重力により下方向に移動する可能性をなくすことができる。そのような下方向への移動は、断熱構造の断熱要素内部での充填材料の一様でない分布をもたらすことがあり、したがって、断熱要素の上側部分で不十分な断熱をもたらすことがある。
【００５２】
さらなる好ましい可能性は、少なくとも１つの第１の断熱要素と少なくとも１つの第２の断熱要素とが、衣服内にＶ字形で配置されることである。
【００５３】
これは、例えば第１の断熱要素および／または第２の断熱要素内での充填材料の一様な分布をさらに改良することができる。なぜなら、Ｖ字形で配置されたそのような断熱要素は、身体軸に垂直な方向でのある程度の固定を保証することもできるからである。これに関して、「Ｖ」字形は、それにも関わらず、例えば重力による悪影響を大幅に回避するのに十分に平坦に選択することができる。
【００５４】
特に好ましくは、少なくとも１つの第１の断熱要素および／または少なくとも１つの第２の断熱要素は、互いに並べて交互に配置される。特に、すべての第１の断熱要素と第２の断熱要素が、互いに並べて交互に配置されることがある。しかし、これが、一部の第１および／または第２の断熱要素のみに適用されることもあることを再度強調しておく。
【００５５】
この構成は、接続領域、例えばシームが、第１の断熱要素の各側に向けて、対応する隣接する第２の断熱要素によって封止され、したがって断熱が特に良好であることを保証する。また、第１の断熱要素と第２の断熱要素の対称的な配置は、大きな凹凸が生じないので、着心地の良さに特に有利となり得る。
【００５６】
さらに、断熱構造が、少なくとも１つのカバー層を備え、カバー層が、断熱構造の内側および／または外側に配置されることが想定可能である。
【００５７】
そのようなカバー層は、例えば内側に配置されたフリースまたはウール層などによって、着心地の向上など様々なさらなる機能に役立つことがある。外側に配置されるカバー層は、例えば、水、汚れ、霧、または風の進入を防止し、断熱をさらに改良することができる。これらは、そのような層を使用することができる方法のいくつかの有利な可能性にすぎない。当業者は、自らの知識から、さらなる代替形態を導き出すことができる。
【００５８】
限定はしないが、本発明による断熱構造の実施形態を有するアウトドアジャケット、ベスト、断熱パンツ、帽子、ミトン、手袋などを含む衣服が、本発明のさらなる態様を成す。
【００５９】
本発明による断熱構造により、そのような衣服は、製造が容易であり、それにも関わらず優れた断熱性を提供し、これは、特にアウトドア分野において、着心地、体積、重量、または他の重要な特性を過度には損なわない。
【００６０】
ここで、本発明は、要件が満たされるように断熱構造を利用するために、本明細書で述べる設計特徴およびオプションのいくつかが組み合わされた断熱構造および衣服の実施形態を含むことも明記しておく。これに関して、目的を実現するために必要でないと考えられることを前提として個々の態様を無視することもでき、それでも、そのような実施形態を本発明の一部とみなすことができないわけではない。
【００６１】
本発明の現在好ましい例および実施形態を、以下の図面を参照しながら以下の詳細な説明で述べる。
【図面の簡単な説明】
【００６２】
【図１ａ】従来の断熱用の構造、および既知の構造に基づくアウトドアジャケットの熱画像を示す図である。
【図１ｂ】従来の断熱用の構造、および既知の構造に基づくアウトドアジャケットの熱画像を示す図である。
【図１ｃ】従来の断熱用の構造、および既知の構造に基づくアウトドアジャケットの熱画像を示す図である。
【図１ｄ】従来の断熱用の構造、および既知の構造に基づくアウトドアジャケットの熱画像を示す図である。
【図２ａ】断熱要素を備える本発明による断熱構造の実施形態を示す図である。
【図２ｂ】断熱要素を備える本発明による断熱構造の実施形態を示す図である。
【図２ｃ】断熱要素を備える本発明による断熱構造の実施形態を示す図である。
【図３ａ】本発明による断熱構造のさらなる実施形態を示す図である。
【図３ｂ】本発明による断熱構造のさらなる実施形態を示す図である。
【図３ｃ】本発明による断熱構造のさらなる実施形態を示す図である。
【図３ｄ】本発明による断熱構造のさらなる実施形態を示す図である。
【図４】本発明による断熱構造の実施形態を示す図である。
【図５ａ】外層および内層を有する本発明による断熱構造の実施形態、ならびに可能な製造方法の略図を示す図である。
【図５ｂ】外層および内層を有する本発明による断熱構造の実施形態、ならびに可能な製造方法の略図を示す図である。
【図６ａ】本発明による断熱構造の一実施形態を備える本発明によるアウトドアジャケットの一実施形態を示す図である。
【図６ｂ】本発明による断熱構造の一実施形態を備える本発明によるアウトドアジャケットの一実施形態を示す図である。
【図６ｃ】本発明による断熱構造の一実施形態を備える本発明によるアウトドアジャケットの一実施形態を示す図である。
【図６ｄ】本発明による断熱構造の一実施形態を備える本発明によるアウトドアジャケットの一実施形態を示す図である。
【図６ｅ】本発明による断熱構造の一実施形態を備える本発明によるアウトドアジャケットの一実施形態を示す図である。
【図７】図６ａ〜ｅに示されるアウトドアジャケットの実施形態の熱画像を示す図である。
【図８ａ】本発明による断熱構造の一実施形態を備える本発明によるアウトドアジャケットのさらなる実施形態を示す図である。
【図８ｂ】本発明による断熱構造の一実施形態を備える本発明によるアウトドアジャケットのさらなる実施形態を示す図である。
【図９ａ】第１の断熱要素と第２の断熱要素が異なる初期向きを備える、本発明による断熱構造の実施形態を示す図である。
【図９ｂ】第１の断熱要素と第２の断熱要素が異なる初期向きを備える、本発明による断熱構造の実施形態を示す図である。
【発明を実施するための形態】
【００６３】
図１ａは、従来技術から知られている「Ｈ形構造」で組み立てられた断熱構造の一例１００を示す。区画１０３が、２つの材料層１０１と１０２の間に縫製されている。ここで、２つの材料層１０１と１０２と区画１０３とによって形成される立方形キャビティまたはチャンバ１０５は通常、断熱構造１００の断熱性を高めるためにダウンなどの断熱材料を充填される。
【００６４】
図１ｂは、図１ａに示される例１００に対する従来技術から知られている代替構成１２０を示す。代替構成１２０が例１００と異なるのは、区画１２３が、区画１０３とは異なり、材料層１０１および１０２に対して直角には取り付けられない点である。したがって、キャビティ１２５の断面は、台形、または台形に似た形状である。
【００６５】
図１ｃは、従来技術から知られている断熱構造のさらなる例１４０を示す。２つの材料層１４１と１４２は、特定の間隔で、平行なシーム１４３によって互いに直接接続される。したがって、キャビティまたはチャンバ１４５が形成され、これらのキャビティまたはチャンバ１４５は通常、ダウンなどの断熱材料を充填される。矢印１５０によって示されるように、熱損失領域がシーム１４３の近位に作成される。この熱損失は、一部には、断熱の目的を果たす断熱材料がこれらの領域内にほとんどまたは全く存在しないことによる。
【００６６】
これは、図１ｄによってさらに示されており、図１ｄは、図１ｃに示される原理に従って構成された断熱構造を有するジャケット１６０の熱画像を示す。図１ｄで見ることができるように、断熱材料を充填されたチャンバ１４５が位置される領域内で、熱画像は、約１０．５℃までの低い温度を示す。対照的に、シーム１４３の領域内では、熱画像は、１５．５℃までのかなり高い温度を示す。これは、シーム１４３の領域内での図１ｃに示される構造の熱損失を示す。
【００６７】
図２ａ〜ｃは、本発明による断熱構造２００の一実施形態を示す。断熱構造２００は、例えば、衣服で使用することができる。断熱構造２００は、第１の断熱要素２１０と、第２の断熱要素２２０とを備える。第２の断熱要素２２０は、第１の断熱要素２１０とは異なる初期形状を備え、第１の断熱要素２１０は、第２の断熱要素２２０に接続される。断熱構造２００を有する衣服が着用されるとき、第２の断熱要素２２０は、断熱構造２００の内側に対する圧力によって変形され、それにより、第１の断熱要素２１０が第２の断熱要素２２０に接触する接触領域２５０が増大される。
【００６８】
ここに示される実施形態では、断熱構造２００は、複数の第１の断熱要素２１０と、複数の第２の断熱要素２２０とを備える。第２の断熱要素２２０はそれぞれ、第１の断熱要素２１０とは異なる初期形状を備える。各第１の断熱要素２１０は、少なくとも１つの第２の断熱要素２２０に接続される。断熱構造２００を有する衣服が着用されるとき、第２の断熱要素２２０は、断熱構造２００の内側に対する圧力によって変形され、それにより、第１の断熱要素２１０が第２の断熱要素２２０に接触する接触領域２５０が増大される。ここに示される有利な場合には、圧力が及ぼされたときに断熱構造２００のすべての断熱要素２１０、２２０の間に増大された接触領域２５０が存在し、それにより、接続部２３０、例えばシーム２３０が、増大された接触領域２５０によって封止される。しかしまた、接触領域は、いくつかの第１の断熱要素２１０と第２の断熱要素２２０の間でのみ増大され得ることも可能である。
【００６９】
第１の断熱要素２１０が第２の断熱要素２２０に接触する増大された接触領域２５０は、特に、断熱構造２００を有する衣服が着用されるときに体熱の逃げを減少させることができる（図２ｂ参照）。
【００７０】
断熱要素２１０、２２０は、例えば、間にキャビティ２１５、２２５を形成するシーム２３０で接合された層２１２、２１４から形成することができる。
【００７１】
層２１２、２１４は、単一の材料から、またはいくつかの実施形態では複数の材料から構成することができる。そのような層２１２、２１４の構成に有用な材料は、限定はしないが、ダウンプルーフ布地、例えば、極軽量生地、軽量織布、超軽量布地、軽量布地、通気性布地、織布ポリエステルおよび起毛ポリエステルなどのポリエステル、ナイロン、麻布、コットン、ウール、フリース、シルク、フランネル、細かく編まれたまたは織られた布地、またはそれらの組合せなどを含む。
【００７２】
さらに、層２１２、２１４は、例えば、ダウンプルーフ処理、化学処理、例えば耐久性に優れた撥水処理などで処理されることがある。
【００７３】
好ましくは、第１の断熱要素２１０と第２の断熱要素２２０は、それぞれのシーム２３０によって互いに接続される。好ましくは、断熱構造２００を備える衣服を着用したときに断熱構造２００の内側への圧力によって作成される増大された接触領域２５０は、シーム２３０の近位にあり、それにより、第２の断熱要素２２０は、衣服が着用されるときに、図２ｂに示されるようにシーム２３０に実質的に重なる、またはシーム２３０を覆う。
【００７４】
シーム２３０は、例えば、キルティングシームでよい。また、シーム２３０は、当技術分野で知られている構成方法によって形成することもでき、そのような構成方法は、限定はしないが、化学的結合、機械的結合、熱的結合、接着剤、結合テープ、可溶性の糸および／または材料、超音波溶接や高周波溶接などの溶接、ステッチング、例えばブランケットステッチ、チェーンステッチ、クロスステッチ、エンブロイダリステッチ、ガーターステッチ、ロックステッチ、直線ステッチ、ジグザグステッチ、ストレッチステッチ、オーバーロックステッチ、カバーステッチ、トップステッチなど、リベット、熱処理、またはそれらの任意の組合せを含む。さらに、シームまたはシームの一部分がシールを含むことがあり、シールは、特に外部から熱、空気、液体、汚れなどがシーム２３０を通過するのをより難しくする。いくつかの実施形態では、他のタイプの接続部２３０もさらに想定可能である。例えば、それぞれの第１の断熱要素２１０と第２の断熱要素２２０は、バー、または別の形で設計される接続領域を介して互いに接続されることもある。
【００７５】
２つの第１の断熱要素２１０と２つの第２の断熱要素２２０とがここで示されているが、３つ以上の任意の数の第１の断熱要素２１０および／または第２の断熱要素２２０が想定可能である。また、１つの第１の断熱要素２１０と１つの第２の断熱要素２２０のみが存在することもある。しかし、分かりやすくするために、実施形態２００の以下の説明では複数形を使用する。
【００７６】
第１の断熱要素２１０は、第２の断熱要素２２０とは異なる初期形状を有する。図２ａおよび図２ｃに示されるように、断熱要素の初期形状は、無負荷状態、すなわち例えばジャケットの着用者によって断熱構造２００に圧力が及ぼされていない状態での断熱要素２１０、２２０の形状を表す。
【００７７】
さらに、各第１の断熱要素２１０は、第２の断熱要素２２０に接続される。特に好ましくは、第１の断熱要素２１０と第２の断熱要素２２０は、図２ａ〜ｃに示されるように、互いに並べて交互に配置される。これに関して、例えば、ここに示されるように連続的な断熱構造２００を提供するために、すべての断熱要素２１０、２２０が互いに交互に接続されることが有利となることがある。
【００７８】
第２の断熱要素２２０は、使用中に変形されることがあり、それにより、第１の断熱要素２１０が第２の断熱要素２２０に接触する接触領域２５０が、衣服を着用したときに生成される断熱構造２００の内側（図２ｃ参照）に対する圧力によって増大される。図２ｂは、例えばジャケットまたはベストで使用される場合に、人がジャケットまたはベストを着用しているときの使用中の断熱要素を示す。図２ｂに示されるように、第１の断熱要素２１０と第２の断熱要素２２０の接触は直接行うことができる。
【００７９】
しかし、例えば、ジャケットが、断熱構造２００の内側に配置されたさらなる内層（図示せず）を備える場合、第１の断熱要素２１０と第２の断熱要素２２０の接触は、例えばそれぞれの領域内でのそのような内層の接触によって間接的に行われることもある。
【００８０】
前述したように、断熱要素２１０、２２０は変形可能である。所与の第２の断熱要素２２０が、使用中に変形されることがあり、それにより、第２の断熱要素２２０の一部が、隣接するシーム２３０またはシーム２３０の一部を覆う。具体的には、シーム２３０での熱損失が減少されるように、第２の断熱要素２２０は、使用中に、隣接するシームに実質的に重なるように構成することができる。例えば、使用者が、第２の断熱要素２２０を有する衣服を着用したとき、使用者の身体または身体の一部が、第２の断熱要素２２０に力を及ぼすことがあり、それにより、第２の断熱要素２２０は、シーム２３０および／または第１の断熱要素２１０に対して押圧される。これにより、第２の断熱要素２２０は、両方の層２１２、２１４および充填材料で、隣接するシーム２３０に重なることができる。
【００８１】
接触領域２５０を増大させるために、第２の断熱要素２２０は、例えば、図２ｃに示されるように第１の断熱要素２１０よりも実質的に厚くすることができる。第１の断熱要素２１０または第２の断熱要素２２０の厚さ２６０または２６５は、例えば、図２ｃに示されるように、平面２８０から測定することができ、平面２８０は、断熱構造２００の内側に実質的に垂直な方向２８５で、第１の断熱要素２１０および第２の断熱要素２２０、ならびにシーム２３０と交差する。ジャケットが着用されるとき、第２の断熱要素２２０の表面は、好ましくは着用者の身体表面と接触し、使用中に引き起こされる断熱構造２００の内側に対する圧力によって変形される。前述したように、この状況は図２ｂに示されている。いくつかの実施形態では、第１の断熱要素２１０も変形を受けることがある。第１の断熱要素２１０が第２の断熱要素２２０に接触するこれらの増大された接触領域２５０は、特に体熱の逃げを減少させることができる。
【００８２】
さらに、断熱構造２００の断面において、第２の断熱要素２２０の内面に沿った第１の円弧２２４は、第２の断熱要素２２０の外面に沿った断面での第２の円弧２２２の長さＢよりも長い長さＡを有する。内面と外面は、例えば、上述した平面２８０によって画定することができる。
【００８３】
第１の円弧２２４の長さと第２の円弧２２２の長さとの比、すなわち長さＡと長さＢとの比は、約１．２：１〜３：１の範囲内、好ましくは１．４：１〜２：１の範囲内、特に好ましくは１．４５：１〜１．５５：１の範囲内でよい。例えば、第１の円弧２２４の長さＡと第２の円弧２２２の長さＢとの比、すなわちＡ：Ｂは、約１．５：１でよい。
【００８４】
図２ｃにも示されるように、第２の断熱要素２２０の高さＤは、例えば平面２８０に沿って測定することができる。高さＤは、特に、第２の断熱要素２２０に隣接する２つのシーム２３０の間で測定することができる。第１の円弧２２４の長さＡは、第２の断熱材料２２０の高さＤよりも長いことがある。
【００８５】
いくつかの実施形態では、第１の円弧２２４の長さＡと第２の断熱要素２２０の高さＤとの比、すなわちＡ：Ｄは、１．２：１〜３：１の範囲内、好ましくは１．３：１〜２．５：１の範囲内、特に好ましくは１．４：１〜２．１：１の範囲内でよい。例えば、第１の円弧２２４の長さＡと第２の断熱要素２２０の高さＤとの比、すなわちＡ：Ｄは、約２．０でよい。
【００８６】
既に前述したように、値Ａ：ＢまたはＡ：Ｄに関するこれらの範囲は、好ましくは、すべての第２の断熱要素２２０に適用されることがある。しかしまた、それらが一部の第２の断熱要素２２０のみに適用されることも想定可能である。
【００８７】
さらに、比Ａ：ＢおよびＡ：Ｄは、好ましくは、上述した好ましい範囲内にどちらも同時に位置することがある。しかしまた、一方の比、例えば比Ａ：Ｂのみが好ましい範囲内にあり、他方の比、この例ではＡ：Ｄが好ましい範囲内にないこと、またはその逆も可能となり得る。
【００８８】
図２ａ〜ｃに示される実施形態２００では、第１の断熱要素２１０および第２の断熱要素２２０は細長い。これに関して、断熱要素２１０、２２０は、高さ（例えば平面２８０に沿ってそれぞれの隣接するシーム２３０の間で測定される断熱要素２１０、２２０の高さＤなど）よりも実質的に長い長さにわたって延在しているときに細長いと称する。
【００８９】
いくつかの実施形態では、第１の断熱要素２１０および第２の断熱要素２２０は、変数の中でもとりわけ、層２１２、２１４で使用される材料、各断熱要素２１０、２２０を構成するために使用される材料の量、充填材料、充填材料の体積および重量、ステッチング、または断熱要素２１０、２２０で使用される他の構造デバイスに一部依存する断面を有する。一般に、断熱要素２１０、２２０は、限定はしないが、湾曲要素、例えば、円形、長円形、楕円形、またはそれらの一部、長方形、三角形、不規則形状、管、自由幾何形状、および／またはそれらの組合せを含む断面を有することがある。例えば、図２ａ〜ｃに示されるように、断熱要素２１０、２２０の断面は実質的に湾曲している。いくつかの例では、断熱要素の断面は、実質的に長円形または楕円形である。例えば、断熱要素２１０および２２０の製造によりシームなどが存在することがあり、それにより、断熱要素２１０、２２０は、円形または長円形など厳密に規則的な形状からずれる。断熱要素のさらなる可能な実施形態は、以下にさらに述べる。
【００９０】
第１の断熱要素２１０は、チャンバまたはキャビティ２１５を画定することがあり、第２の断熱要素２２０は、チャンバまたはキャビティ２２５を画定することがある。
【００９１】
第１の断熱要素２１０および／または第２の断熱要素２２０は、好ましくは、充填材料または断熱材料を備える。これは、チャンバ２１５または２２５内に配置されることがある。チャンバ２１５または２２５は、例えば、そのような充填材料によって充填されることがある。充填材料または断熱材料は、限定はしないが、天然繊維、例えばウールなどの動物繊維、植物繊維、または羽、特にダウン、合成繊維、例えばポリエステル繊維、ポリエチレンテレフタレート繊維、ポリエチレンテレフタレートとポリプロピレンの混合繊維、ポリエチレンテレフタレート−ポリエチレンイソフタレートコポリマー繊維、アクリル繊維、およびそれらの混合繊維、合成マイクロファイバ断熱材、合成マイクロファイバとマクロファイバとの混合、および／またはそれらの組合せ、例えば天然充填材料と合成充填材料との混合を含む。
【００９２】
合成繊維は、例えば湿潤状態で良好な断熱特性を提供し、ここでは充填または断熱材料として想定可能である。対照的に、乾燥状態では、ダウンが、非常に良好な断熱特性を備えると共に、非常に軽量である。そのような材料の混合も想定可能である。空気、ゲル、発泡材料、液体、ガス、または固体、例えば微粒が、充填材料としてさらに想定可能である。
【００９３】
熱の対流を減少させるために排気されたキャビティも、原理的には想定可能である。さらに、それぞれの充填材料の充填量および／または充填密度は、第１の断熱要素２１０と第２の断熱要素２２０とで変えることができる。また、個々の第１の断熱要素２１０の充填量および／または充填密度が異なること、および／または個々の第２の断熱要素２２０の充填量および／または充填密度が異なることも可能である。最後に、充填量および／または充填密度は、単一の断熱要素２１０または２２０の内部で不均一に提供することもできる。
【００９４】
第２の断熱要素２２０は、第１の断熱要素２１０よりもかなり多くの充填材料を有することができる。いくつかの例では、例えば、第２の断熱要素２２０内の充填材料の重量と第１の断熱要素２１０内の充填材料の重量との比は、１．３：１〜４：１の範囲内、好ましくは１．４：１〜３：１の範囲内、特に好ましくは１．４５：１〜２：１の範囲内でよい。例えば、断熱構造２００は、第１の断熱要素２１０に対する第２の断熱要素２２０内の充填材料の重量の比が約１．５でよい。ここでもまた、これは、すべての第１の断熱要素２１０および第２の断熱要素２２０に適用されることも、それらの一部のみに適用されることもある。
【００９５】
さらに、第１の断熱要素２１０内の充填材料の重量に対する第２の断熱要素２２０内の充填材料の重量の比を考慮するのではなく、既に上述したように、第１の断熱要素２１０内の充填材料の体積に対する第２の断熱要素２２０内の充填材料の体積の比を考慮することもでき、充填体積のこの比に関して、例えば、充填重量に関して上述したのと同じ好ましい比を適用することができる。
【００９６】
第１の断熱要素２１０および／または第２の断熱要素２２０、またはそれらの一部は、好ましくは、既に上述したように細長い形態で提供することができる。
【００９７】
さらに、細長い部材である断熱要素は、限定はしないが、円形、長円形、長方形、三角形、またはそれらの組合せを含む任意の断面幾何形状を有していてよく、長手方向でのその広がりは、断熱要素の幅または高さよりもかなり大きい。
【００９８】
好ましくは、第１の断熱要素２１０および第２の断熱要素２２０、またはそれらのいくつかは、衣服が着用されるときに実質的に水平に配置される。これは、特に衣服での適用の場合には、充填材料が重力により下方向に移動する可能性をなくすことができる。そのような下方向への移動は、断熱構造２００の断熱要素２１０および２２０の内部での充填材料の一様でない分布をもたらすことがあり、したがって、より高い領域内で不十分な断熱をもたらすことがある。さらなる好ましい可能性は、第１の断熱要素２１０および第２の断熱要素２２０のいくつかまたはすべてがＶ字形で衣服内に配置されることである。これは、例えば、第１の断熱要素２１０および／または第２の断熱要素２２０内での充填材料の一様な分布をさらに改良することができる。なぜなら、Ｖ字形で配置されたそのような断熱要素２１０、２２０は、例えば水平方向で、身体軸に垂直な方向でのある程度の固定を保証することもできるからである。したがって、Ｖ字形は、それにも関わらず、十分に平坦に選択することができ、それにより、例えば重力による悪影響を大幅に回避することができる。
【００９９】
また、衣服内部で、いくつかの第１の断熱要素２１０および／または第２の断熱要素２２０が実質的に水平に配置され、いくつかの第１の断熱要素２１０および／または第２の断熱要素２２０がＶ字形に配置されることも可能である。
【０１００】
さらなる設計オプションとして、断熱構造２００が、断熱構造２００の内側または外側に配置されることがある少なくとも１つのカバー層（図示せず）を備えることができることにも言及しておく。これは、例えば内側ライニングでよく、この内側ライニングは、着心地を良くし、断熱性をさらに高める。さらに、撥水、汚れ防止、防風などの目的を果たす外層も考えられる。これに関して、カバー層は、例えば以下の材料の１つまたは複数を備えることができる。天然素材および／または合成素材からなる横編み、緯編み、および／または織布テキスタイル。さらに、テキスタイルは、耐久性に優れた撥水剤（例えば、ＤＷＲ）で処理することもできる。
【０１０１】
本発明による断熱構造のさらなる現在好ましい実施形態を以下に論じる。しかし、繰返しを避けるために、図２ａ〜ｃに関連付けて上述した実施形態２００との相違点のみを詳細に考察する。残りに関しては、実施形態２００および言及した設計可能性に関して成された記載が、適用可能であれば、すべての後続の実施形態にも当てはまる。
【０１０２】
さらに、それぞれの断熱構造を通る断面のみが、簡略化した例示の目的で図３ａ〜ｄ、図４、図５ａ〜ｂ、および図９ａ〜ｂに示されていることを指摘しておく。これは、断熱構造が、図の平面内および平面外にさらに延びていることがあることを意味する。
【０１０３】
図３ａ〜ｄは、本発明による断熱構造３００ａ、３００ｂ、３００ｃ、３００ｄのさらなる可能な実施形態を示し、これらの断熱構造は、主に、第１および／または第２の断熱要素の設計および構成に関して、またはより正確にはそれらの初期形状に関して断熱構造２００とは異なる。シームなどを封止するための上述した機能は、実質的に同じままである。
【０１０４】
例えば、図３ａは、本発明による断熱構造３００ａの一実施形態を示し、断熱構造３００ａは、複数の第１の断熱要素３１０ａと、複数の第２の断熱要素３２０ａとを備える。ここで、第１の断熱要素３１０ａおよび第２の断熱要素３２０ａは、実質的に長方形の断面を備える。これにより、特に、図３で見ることができるように、着用者によって生成される圧力がないときでさえ、第１の断熱要素３１０ａと第２の断熱要素３２０ａを互いに密接に位置させることができ、それにより、断熱構造３００ａが、独自に特に良好な断熱特性を備える。図３ａにおいても、第２の断熱要素３２０ａは、着用によって生成される圧力がないときには、断熱構造３００ａの内側（図３ａでは上）に垂直な方向で第１の断熱要素３１０ａよりも厚い。これにより、着用中に生成される断熱構造３００ａの内側に対する圧力によって、第２の断熱要素３２０ａが変形され、それにより、第１の断熱要素３１０ａが第２の断熱要素３２０ａに接触する接触領域が拡大される。
【０１０５】
同様のことが、断熱要素の初期形状、特に断面形状を除いて、図３ｂおよび図３ｃに示される本発明による断熱構造３００ｂおよび３００ｃの実施形態にも当てはまる。断熱構造３００ｂでは、第１の断熱要素３１０ｂは、本質的に管状であり、第２の断熱要素３２０ｂは断面が長方形であるが、図３ｃに示される断熱構造３００ｃでは状況が逆である。ここでは、第１の断熱要素３１０ｃは断面が長方形断面であり、第２の断熱要素３２０ｃは管状に提供される。第２の断熱要素３２０ｂ、３２０ｃは、それぞれ、断熱構造３００ｂ、３００ｃの内側（図では上）に垂直な方向で第１の断熱要素３１０ｂ、３１０ｃよりも厚い。
【０１０６】
最後に、図３ｄに示される断熱構造３００ｄの実施形態は、第１の断熱要素３１０ｄと第２の断熱要素３２０ｄが、互いに並んで交互に配置される必要が必ずしもないことを明確に示す。図３ｄに示されるように、第１の断熱要素３１０ｄは、第２の断熱要素３２０ｄに、および／またはいくつかの例では別の第１の断熱要素３１０ｄに接続することができる。さらに、要素３３０ｄは、断熱構造３００ｄ内の様々な点に位置決めすることができる。要素３３０ｄは、特定の衣服に関する要件に特有の機能を提供することが可能な構造を含むことがある。例えば、要素３３０ｄは、通気性および／または換気を提供し、ワイヤやケーブルなど材料の通過を可能にし、および／または断熱を提供するように構成することができる。また、そのようなさらなる要素は、明示的には示していない場合でさえ、本明細書で述べる本発明による断熱構造の他の実施形態の一部となり得る。
【０１０７】
しかし、第１の断熱要素と第２の断熱要素の交互の配置および接続が望ましいことがある。なぜなら、これは、第１の断熱要素と第２の断熱要素の間のできるだけ多くのシームまたは接続領域を、圧力が及ぼされる場合に拡大される接触領域によって封止できるようにするからである。さらに、反復的な配置は、着心地を良くすることができる。
【０１０８】
第１、第２、および適用可能であればさらなる要素の可能な組合せおよび配置のすべてをここに示すことはできないことは当業者に明らかである。しかし、それらの組合せおよび配置は、当業者には、自らの知識から想定可能であり、そのような実施形態も本発明の一部である。
【０１０９】
図４は、断熱構造４００のさらなる好ましい実施形態を示す。断熱構造４００は、層４１２および４１４を含む。図４に示されるように、層４１２は、単一部片または布地を含むことがある。層４１４は、シーム４３０によって層４１２に結合させることができる。図４に示されるように、シーム４３０は、結合テープ４４０、およびステッチ４５０を含む。さらに、シーム４３０は、本明細書で述べるような構成方法の組合せを含むこともできる。
【０１１０】
図４に示されるように、第１の断熱要素４１０は、第２の断熱要素４２０とは異なる初期形状を有する。いくつかの実施形態では、第２の断熱要素４２０の円弧４２４の長さＡ’は、第１の断熱要素４１０の円弧４２２の長さＢ’よりも長いことがある。
【０１１１】
さらに、第２の断熱要素４２０の円弧４２４の長さＡ’と第２の断熱要素４２０の高さＥとの比、すなわち長さＡ’と高さＥとの比は、１．２：１〜３：１の範囲内、好ましくは１．３：１〜２．５：１の範囲内、特に好ましくは１．４：１〜２．１：１の範囲内でよい。例えば、円弧４２４の長さＡ’と第２の断熱要素４２０の高さＥとの比、すなわちＡ’：Ｅは、約１．５でよい。
【０１１２】
さらなる実施形態では、層４１２は、一体に結合された複数部片の材料から構成されることがある。使用される材料の部片は、材料の特定の性質または特性で選択することができる。
【０１１３】
図５ａ〜ｂは、本発明による断熱構造５００および製造方法５５０の好ましい実施形態を示す。断熱構造５００は、例えば、断熱構造の前述の実施形態の１つ、特に断熱構造２００でよい。
【０１１４】
断熱構造５００は、１つまたは複数の第１の断熱要素５１０と、１つまたは複数の第２の断熱要素５２０とを備える。例示を簡略化するために、それぞれ１つのみ示す。第１の断熱要素５１０の少なくとも１つは、内層５１１と外層５１２を備え、これらがキャビティ５１５を画定する。また、第２の断熱要素５２０の少なくとも１つは、内層５２１と外層５２２を備え、これらがキャビティ５２５を画定する。好ましくは、第１の断熱要素５１０および第２の断熱要素５２０はすべて、キャビティ５１５、５２５を画定するそれぞれの内層５１１、５２１と外層５１２、５２２を備える。
【０１１５】
第１の断熱要素５１０の内層５１１の表面積（ここでも、分かりやすくするために以下では複数形を使用する）は、第２の断熱要素５２０の内層５２１の表面積よりも小さい。
【０１１６】
さらに、図５ａ〜ｂに示される実施形態では、第１の断熱要素５１０の内層５１１の表面積は、第１の断熱要素５１０の外層５１２の表面積と実質的に等しいサイズである。対照的に、第２の断熱要素５２０の内層５２１の表面積は、第２の断熱要素５２０の外層５２２の表面積よりも大きい。
【０１１７】
この構成により、場合によってはキャビティ５１５および５２５の充填後に、第２の断熱要素５２０が、図５ａ〜ｂに示されるように、内側に垂直な方向で第１の断熱要素５１０よりも大きい厚さを有する。
【０１１８】
これに関して、図５ａ〜ｂに示されるように、第１の断熱要素５１０および第２の断熱要素５２０の内層５１１および５２１は、特に好ましくは、一体部片として接合して提供される。このようにして、一様な内層を実現することができる。さらに、第１の断熱要素５１０および第２の断熱要素５２０の外層５１２および５２２も、特に好ましくは、一体部片として接合して提供される。このようにして、一様な外層も実現することができる。内層と外層がどちらも一体部片として提供される場合、これは、断熱構造５００の安定性、ならびに断熱、防水、および汚れ防止特性などを改良することができる。さらに、製造を単純化する、および／またはコストを削減することができる。
【０１１９】
さらに、ここで示される実施形態においても、断熱構造５００の断面において、第２の断熱要素５２０の内面５２１に沿った第１の円弧５３４は、第２の断熱要素５２０の外面５２２に沿った断面での第２の円弧５３２の長さｂよりも長い長さａを有する。内面および外面は、例えば、第１の断熱要素５１０および第２の断熱要素５２０、ならびに存在する場合にはシーム５７１、５７２、５７３に交差する、図５ａ〜ｂに示される平面５９０によって画定することができる。
【０１２０】
第１の円弧５３４の長さと第２の円弧５３２の長さとの比、すなわち長さａと長さｂとの比は、約１．２：１〜３：１の範囲内、好ましくは１．４：１〜２：１の範囲内、特に好ましくは１．４５：１〜１．５５：１の範囲内でよい。例えば、第１の円弧５３４の長さａと第２の円弧５３２の長さｂとの比、すなわちａ：ｂは、約１．５：１でよい。
【０１２１】
図５ａにも示されるように、第２の断熱要素５２０の高さｄは、例えば平面５９０に沿って測定することができる。高さｄは、特に、第２の断熱要素５２０に隣接する２つのシーム５７２、５７３の間で測定することができる。第１の円弧５３４の長さａは、第２の断熱材料５２０の高さｄよりも長いことがある。
【０１２２】
いくつかの実施形態では、第１の円弧５３４の長さａと第２の断熱要素５２０の高さｄとの比、すなわちａ：ｄは、１．２：１〜３：１の範囲内、好ましくは１．３：１〜２．５：１の範囲内、特に好ましくは１．４：１〜２．１：１の範囲内でよい。例えば、第１の円弧５３４の長さａと第２の断熱要素５２０の高さｄとの比、すなわちａ：ｄは、約２．０でよい。
【０１２３】
断熱構造５００に関する可能な製造方法５５０が、例えば図５ｂに示されている。一体部片として提供される内層５６０、および一体部片として提供される外層５６５は、例えば、矢印５８０および５８５によって示唆される可変速度で、裁縫台５７０に供給することができ、裁縫台５７０が、内層５６０と外層５６５を一体に縫い合わせる。ここで、第１の断熱要素５１０および第２の断熱要素５２０をＶ字形に製造するために、例えば、図の平面に垂直な方向に延びるＶ字形のシームも形成することができる。ここで、第１の断熱要素５１０を製造するために、内層５６０と外層５６５は、縫製される第１の断熱要素５１０を画定する２つのシーム５７１と５７２の間で、それぞれ同じ速度５８０および５８５で裁縫台５７０に供給することができる。これにより、内層５６０および外層５６５の断面５１１および５１２の表面積は、同じサイズを与えられる。対照的に、第２の断熱要素５２０を製造するために、内層５６０は、縫製される第２の断熱要素５２０を画定する２つのシーム５７２と５７３の間で、外層５６５よりも高い速度５８０で裁縫台５７０に供給することができる。これにより、内層５６０の断面５２１の表面積は、外層５６５の断面５２２の表面積よりも大きく形成される。裁縫台５７０を通過した後、キャビティ５１５および／または５２５に、場合によっては充填または断熱材料を充填することができ、必要であれば、第１の断熱要素５１０と第２の断熱要素５２０を、それらの端部で一体に縫い合わせることができる。
【０１２４】
本明細書で述べる構成は、断熱構造を利用する衣服を機械によって組み立てることを可能にすることができ、または、衣服の少なくとも一部を機械によって組み立てることができる。
【０１２５】
本明細書で述べる断熱構造を、衣服を形成するために従来の構造と組み合わせることもできる。断熱構造２００、３００ａ〜ｄ、４００、５００、９００ａ〜ｂは、場合によっては従来の構造１００と組み合わせて、熱損失を最も受けやすい使用者の部位に対応して位置決めすることができる。これらの断熱構造は、さらに、追加の通気性、移動性、着心地、自然の力（すなわち、風、雨、湿気など）からの保護、および／または有用性を実現するように設計された構造と組み合わせることができる。
【０１２６】
限定はしないが、本発明による断熱構造２００、３００ａ〜ｄ、４００、５００、９００ａ〜ｄの実施形態を有するジャケット、ベスト、断熱パンツ、帽子、ミトン、手袋などを含む衣服が、本発明のさらなる態様を成す。
【０１２７】
図６ａ〜ｅは、本発明による断熱構造の一実施形態を備えるジャケット６００の一実施形態を示す。各場合に、ジャケット６００の内側が示されている。
【０１２８】
複数の第１の断熱要素６１０および複数の第２の断熱要素６２０が見える。これに関して、第１の断熱要素６１０および第２の断熱要素６２０のいくつかが、Ｖ字形を有する。ここで、断熱要素６１０および６２０は、充填材料、例えばダウンまたは合成繊維材料を充填される。さらに、図面、特に図６ｃ〜ｅから、ジャケット６００が着用されていないとき、すなわち着用者によって内側に及ぼされる圧力がないとき、第２の断熱要素６２０が、それぞれジャケット６００または断熱構造の内面に垂直な方向で第１の断熱要素６１０よりも大きい厚さを有することが分かる。ここで、厚さの比は、約３：１である。
【０１２９】
第１の断熱要素６１０および第２の断熱要素６２０は、主に、着用者の身体の胴体部の周りに配置される。なぜなら、身体のこの部分は、場合によっては多量の熱損失を生じ得るからである。他方、例えばリュックサックによって覆われていることがあり、汗をかきやすい領域であり得る肩および首の領域では、ここに示されるように、異なる、より通気性の高い材料６３０を配置することができる。
【０１３０】
図７は、図１ｄにおける従来のジャケット１６０の熱画像と同じ環境条件で撮影されたジャケット６００の熱画像を示す。図７の画像から、下側後部領域７００（その内側は図６ａ〜ｅで見ることができる）で、特にまた、ジャケット６００のシームが位置された領域７１０で、約１０°未満の温度が常に測定されたことが明瞭に分かる。したがって、ジャケット６００は、従来のジャケット１６０よりもかなり少ない熱孔を有する。熱孔の明らかな減少は、やはり本発明による断熱構造が位置されているジャケット６００の腕の領域でも検出することができる。
【０１３１】
他方、通気性の高い材料６３０の領域７５０では、はるかに顕著な体熱の損失が見られる。
【０１３２】
図８ａ〜ｂは、本発明による断熱構造の一実施形態を備えるジャケット８００の別の実施形態を示す。ジャケットは、互いに並べて交互に配置された複数の第１の断熱要素８１０と複数の第２の断熱要素８２０とを備える。第１の断熱要素８１０および第２の断熱要素８２０は細長く、着用者の胴体の左右の半分に水平に配置される。ジャケット８００の後部の中央には、Ｖ字形で提供されたさらなる断熱要素８３０が配置される。これらの断熱要素８３０は、熱孔の本発明による「封止」効果を提供しても、提供しなくてもよい。
【０１３３】
また、ジャケットは、本発明による断熱構造を有するジャケット８００の外側に配置された外側カバー層８５０、例えば撥水性の外側カバー層８５０を備える。外層８５０は、デザインの面での目的を果たすこともできる。
【０１３４】
例えば、ここで示される場合には、ジャケット８００の袖には本発明による第１の断熱要素８１０および第２の断熱要素８２０が配置されていないが、本発明のジャケットの他の好ましい実施形態では、袖も、それらの領域にある熱孔を封止する本発明による機能を提供する第１および第２の断熱要素を含む。
【０１３５】
最後に、図９ａ〜ｂは、本発明による断熱構造９００ａおよび９００ｂのさらなる想定可能な実施形態を示す。これらの断熱構造９００ａおよび９００ｂに関して特別な点は、第１の断熱要素９１０ａまたは９１０ｂと第２の断熱要素９２０ａまたは９２０ｂとがそれぞれ同じ初期形状を有するが、それらの初期向きが異なることである。そのような実施形態も、既に上で説明したように、用語「異なる初期形状」によって網羅される。特に、第１の断熱要素９１０ａまたは９１０ｂと第２の断熱要素９２０ａまたは９２０ｂとは、それぞれ異なる断面向きを有する。
【０１３６】
形状および向きは、ここでもまた、無負荷状態で、すなわち圧力が及ぼされていないときに断熱要素９１０ａ、９１０ｂおよび９２０ａ、９２０ｂが有する初期形状または初期向きとみなされる。
【０１３７】
これに関して、図９ａ〜ｂで破線によって示唆されるように、断熱構造９００ａにおいて、ここでは長円（断面）形状で示される第１の断熱要素９１０ａは、やはりここでは長円形状で示される第２の断熱要素９２０ａに対して、それらの断面に関して約８５°だけ回転される。対照的に、断熱構造９００ｂでは、ここでは長方形状で示される第１の断熱要素９１０ｂは、やはりここでは長方形状で示される第２の断熱要素９２０ａに対して、それらの断面に関して約９０°だけ回転される。例えば８０°〜１００°の範囲内の他の回転角度も想定可能である。
【符号の説明】
【０１３８】
１００  断熱構造
１０１  材料層
１０２  材料層
１０３  区画
１０５  キャビティ
１２０  代替構成
１２３  区画
１２５  キャビティ
１４０  断熱構造
１４１  材料層
１４２  材料層
１４３  シーム
１４５  キャビティ、チャンバ
１６０  ジャケット
２００  断熱構造
２１０  第１の断熱要素
２１２  層
２１４  層
２１５  キャビティ
２２０  第２の断熱要素
２２５  キャビティ
２３０  シーム
２５０  接触領域
３００ａ〜ｄ  断熱構造
３１０ａ〜ｄ  第１の断熱要素
３２０ａ〜ｄ  第２の断熱要素
３３０ｄ  要素
４００  断熱構造
４１０  第１の断熱要素
４１２  層
４１４  層
４２０  第２の断熱要素
４３０  シーム
４４０  結合テープ
４５０  ステッチ
５００  断熱構造
５１０  第１の断熱要素
５１１  内層
５１２  外層
５１５  キャビティ
５２１  内層
５２２  外層
５２５  キャビティ
５６０  内層
５６５  外層
５７１  シーム
５７２  シーム
５７３  シーム
６００  ジャケット
６１０  第１の断熱要素
６２０  第２の断熱要素
６３０  より通気性の高い材料
７００  下側後部領域
８００  ジャケット
８１０  第１の断熱要素
８２０  第２の断熱要素
８３０  さらなる断熱要素
８５０  外側カバー層
９００ａ、ｂ  断熱構造
９１０ａ、ｂ  第１の断熱要素
９２０ａ、ｂ  第２の断熱要素
【図１ａ】
2015134976.tif 000003
【図１ｂ】
2015134976.tif 000004
【図１ｃ】
2015134976.tif 000005
【図１ｄ】
2015134976.tif 000006
【図２ａ】
2015134976.tif 000007
【図２ｂ】
2015134976.tif 000008
【図２ｃ】
2015134976.tif 000009
【図３ａ】
2015134976.tif 000010
【図３ｂ】
2015134976.tif 000011
【図３ｃ】
2015134976.tif 000012
【図３ｄ】
2015134976.tif 000013
【図４】
2015134976.tif 000014
【図５ａ】
2015134976.tif 000015
【図５ｂ】
2015134976.tif 000016
【図６ａ】
2015134976.tif 000017
【図６ｂ】
2015134976.tif 000018
【図６ｃ】
2015134976.tif 000019
【図６ｄ】
2015134976.tif 000020
【図６ｅ】
2015134976.tif 000021
【図７】
2015134976.tif 000022
【図８ａ】
2015134976.tif 000023
【図８ｂ】
2015134976.tif 000024
【図９ａ】
2015134976.tif 000025
【図９ｂ】
2015134976.tif 000026
【外国語明細書】
2015134976000001.pdf